(57)【特許請求の範囲】
【請求項１】
キャップと、前記キャップが着脱自在に取り付けられるケースの開口とで構成され、
前記キャップは、上部に操作用のツマミが形成された円筒あるいは円柱のキャップ本体の周にロック用の突起が対向して設けられており、
前記ケースの開口は、孔内の内周に沿って前記キャップのロック用突起が通過する溝部と内周から張り出した係止部とから成る係合部が対向して設けられており、
前記開口に、キャップのキャップ本体を嵌め、そのキャップ本体のロック用突起を開口孔内の係合部の溝を通過させ、回動して係止部の下面側に係合させて取り付け、かつ、前記取り付けたキャップを溝に達するまで回動して係止部との係合を解除して、溝を通過させて取り外すキャップの取り付け構造において、
前記キャップのキャップ本体に、ロック用突起よりも上部方向で、かつ、前記ロック用突起と周方向の位置をずらせた浮上用突起を対向して周に設け、
一方、ケースの開口の係止部の上面側に段部を形成し、
前記開口に取り付けられたキャップを回動してロック用突起が溝に達した際に、前記段部に浮上用突起が接してキャップを浮き上がらせるようにしたキャップの取り付け構造。
【請求項２】
上記キャップ本体のロック用突起の上面側とその突起の上面側と接する開口の係止部下面の接触面を傾斜が逆の傾斜面とし、一方、浮上用突起の下面側と接する段部の接触面を傾斜が逆の傾斜面として、傾斜面同士が接することで、キャップを浮上するようにした請求項１に記載のキャップの取り付け構造。
【請求項３】
上記キャップ本体の浮上用突起とツマミとの間にパッキンを設け、前記パッキンがキャップを開口に押し込んだ際に、前記パッキンをキャップと開口との間に圧するようにした請求項１または２に記載のキャップの取り付け構造。
【発明の詳細な説明】
【技術分野】
【０００１】
この発明は、キャップ（蓋）の着脱時の操作性を改善したキャップの取り付け構造に関するものである。
【背景技術】
【０００２】
キャップ（蓋）を着脱する際の操作性を改善したものとして、例えば、図８の特許文献１に示す取り付け構造がある。
この取り付け構造は、ケースの開口１から内方へ向けて設けた複数の係止片２と、蓋３の裏面に設けた狭持片４を係合させるというもので、開口１に嵌めた蓋３を係止片一つ分回動することで着脱できるというものである。
また、この取り付け構造では、開口１の縁に段差を形成し、その段差にパッキン用のＯリング５を装着することで、装着したＯリング５が蓋３を閉めた際に圧縮され、その圧縮された反発力を利用して防水する構造となっている。
【０００３】
ところで、上記の取り付け構造は、平板な蓋３の表面に回動用の溝６を設けた構造で、例えば、交換頻度の低いボタン電池の収容部などの蓋３として用いられるものである。
【０００４】
そのため、例えば、充電端子やイヤホーン端子など、頻繁な着脱を行うものの蓋３として使用するには不便である。
そこで、充電端子やイヤホーン端子の蓋として、例えば、図９のような、ケースの開口１にツマミ７を形成したキャップ８を着脱自在に取り付ける構造のものが使用されている（図９ではＯリング（パッキン）５を使用した防水構造のものを記載している）。
このキャップの取り付け構造は、上部に操作用のツマミ７が形成された円筒あるいは円柱状のキャップ本体９に、係合用の突起（狭持片に該当）１０を設けた構造となっている。
また、ケースの開口１は、孔内に内周から張り出した係合部（係紙片に該当）１１を内周に沿って形成した構造となっており、前記係合部１１は、キャップ本体９の係合用の突起１０が通過する溝部１２と、溝部１２を通過した係合突起１０を保持する係止部１３とで構成されている。
そのため、キャップ８を開口１に差し込んで、キャップ本体９の突起１０は孔内の溝部１２を通過させたのち、回動すればすぐに係止部１３に係合するので、容易に装着できる。また、装着時と逆方向にキャップ８を回し、溝部１２を通過させて引き抜けば、取り外しも容易にできるというものである。
さらに、キャップ本体９の係合９用の突起の上にＯリングによるパッキンを装着し、キャップ本体９と開口１との隙間に嵌めるようにすることで、防水構造とすることもできるというものである。
【先行技術文献】
【特許文献】
【０００５】
【特許文献１】実開昭６３−１１９２８２号公報
【発明の概要】
【発明が解決しようとする課題】
【０００６】
しかしながら、上記のＯリング（パッキン）を用いないキャップの取り付け構造では、突起が溝に合致してもキャップにあまり変化を生じないため、キャップの突起が孔の係合部と合致したのかどうか分かり難い。そのため、突起が溝の端に引っかかっていてキャップを取り外せないことも多く。キャップを取り外し難い問題がある。
また、Ｏリングを装着したキャップ構造のものでは、突起が溝と合致して取り出し可能な位置にあってもＯリングが開口との間に挟まり、圧縮されたＯリングの圧力によりキャップが取り外し難いという問題があった。
【０００７】
そこで、この発明の課題は、キャップを取り外し易くしてキャップの着脱時の操作性を改善することである。
【課題を解決するための手段】
【０００８】
上記の課題を解決するため、この発明では、キャップ本体のロック用突起を開口孔内の係合部の溝を通過させて取り外すキャップの取り付け構造において、前記キャップ本体に、ロック用突起よりも上部方向で、かつ、前記ロック用突起と周方向の位置をずらせた浮上用突起を対向して周に設け、一方、前記開口のロック用突起が下面側に係合する係止部の上面側に段部を形成し、開口に取り付けられたキャップを回動してロック用突起が溝に達した際に、前記段部に浮上用突起が接してキャップを浮き上がらせるようにした構成を採用したのである。
【０００９】
このような構成を採用することにより、ロック用突起が溝部に達した際にキャップが浮き上がるので、キャップの突起が孔の係合部の溝に合致したかどうかが分かり、キャップの取り外しが容易にできる。
【００１０】
また、このとき、上記キャップ本体のロック用突起の上面側とその突起の上面側と接する開口の係止部下面の接触面を傾斜が逆の傾斜面とし、一方、浮上用突起の下面側と接する段部の接触面を傾斜が逆の傾斜面として、傾斜面同士が接することで、キャップを浮上するようにした構成を採用することもできる。
【００１１】
このような構成を採用することにより、傾斜によって滑らかにキャップを浮上させたり、浮上したキャップを滑らかに下降させたりできるため、取り付け取り外しが容易にできる。
【００１２】
また、上記キャップ本体の浮上用突起とツマミとの間にＯリング（パッキン）を設け、前記Ｏリングがキャップを開口に押し込んだ際に、キャップと開口との間に圧せられるようにした構成を採用することもできる。
【００１３】
このような構成を採用することにより、Ｏリングを用いて防水構造としたキャップにおいて、Ｏリングが開口との間に挟まったとしても、キャップが浮き上がることで、開口に接するＯリングの圧力を少し逃がすことができるので、キャップを容易に取り外すことができる。
【発明の効果】
【００１４】
上記のように構成したことにより、キャップの取り外しが容易にできるので、操作性が向上する。
【図面の簡単な説明】
【００１５】
【図１】（ａ）実施形態のキャップと開口との分解斜視図、（ｂ）（ａ）のキャップを装着した斜視図
【図２】開口の一部切欠図
【図３】開口の一部展開図
【図４】（ａ）〜（ｃ）実施形態の作用説明図
【図５】（ｄ）〜（ｆ）実施形態の作用説明図
【図６】ロック状態を示す作用説明図
【図７】解放状態を示す作用説明図
【図８】従来例の平面図
【図９】従来例の斜視図
【発明を実施するための形態】
【００１６】
以下、この発明を実施するための形態を図面に基づいて説明する。
図１（ａ）、（ｂ）に示すように、本願発明のキャップ２０の取り付け構造は、キャップ２０と前記キャップ２０が着脱自在に取り付けられるケースの開口２１とで構成されている。
【００１７】
前記キャップ２０は、上部に操作用のツマミ２２が形成された円筒あるいは円柱状のキャップ本体２３と、前記キャップ本体２３に設けられた係合用の突起２４、２５とからなり、そのキャップ本体２３にＯリング（パッキン）２６を装着した構成となっている。
【００１８】
係合用の突起２４、２５は、周の下端に対向して設けられたロック用突起２４と、ロック用突起２４よりも上部方向に対向して設けられた浮上用突起２５とからなり、浮上用突起２５は、前記ロック用突起２４に対して周方向にずらせた位置に設けられている。このロック用突起２４と浮上用突起２５の位置は、後述するように、相対的に決められるものである。
また、ロック用突起２４と浮上用突起２５は、図１（ａ）、（ｂ）のように、開口２１の係合部２７と接する面を傾斜面とした形状としている。
すなわち、ロック用突起２４は、後述のように、係合部２７と接触する上面をロック方向に対して上り傾斜としてある。一方、浮上用突起２５は、下方の面をロック方向に対して下りの傾斜とした後、水平面として浮上状態を保持できるようにしてある。
【００１９】
前記開口２１は、例えば、防水型の携帯無線機のケースに設けられた充電端子へのアクセス用のもので、図２に示すように、周囲はケースから突出した隔壁２８でもって囲まれている。また、前記開口２１の径は、前記係合用の突起２４、２５を形成したキャップ本体２３が嵌入できる大きさに形成され、その孔内には，内周から張り出した係合部２７が設けられている。
【００２０】
前記係合部２７は、図１（ａ）、（ｂ）に示すように、係止部３０と溝部３１とで構成されている。前記係止部２７は、内周から孔の軸に向けて張り出した形状となっており、その厚さは、ロック用突起２４とロック用突起２４の上部に設けた浮上用突起２５との間の寸法よりも薄くしてある。こうすることで、ロック用突起２４が、係止部３０の下面と係合し、浮上用突起２５は、係止部３０の上面と係合するようにしてある。
溝部３１は、キャップ２０のロック用突起２４が通過できる幅に形成して、開口２１から開口２１の孔内に嵌入されたキャップ本体２３のロック用突起２４が孔内の係止部３０の下面に達するようにしてある。
係止部３０は、図３の開口内を１／２だけ展開した図に示すように、ロック用突起２４と係合する下面側の第１の係合部３２と、浮上用突起２５と係合する上面側の第２の係合部３３とで構成されている。
第１の係合部３２は、傾斜部３４と第１の凹部３５とで構成されている。傾斜部３４は、図３のように、溝部３１の端から第１の凹部３５に向けて凹部３５側が下方となるように下り方向の傾斜としたもので、溝部３１を通過したロック用突起が傾斜に沿ってスムースに下降して第１の凹部３５へ嵌入できるようにし、かつ、第１の凹部３５から傾斜部３４を経て溝部３１へスムースに上昇して移動できるようにしてある。
この第１の凹部３５は、ロック用突起２４がすっぽりと嵌まる大きさに形成してある。こうすることで、後述するように、第１の凹部３５に嵌まったロック用突起２４が、キャップ２０を回動しても第１の凹部３５の壁に当たって動かないようにして、キャップが外れない構造としてある。
【００２１】
第２の係合部３３は、段部３６と段部３６に続いて形成された傾斜面３７で構成されている。
段部３６は、図３のものでは、係止部３０の中程である係止部３０の第１の係合部３２の傾斜面３４側に形成して、対する第１の凹部３５の端へ向かうにつれて段部３６の高さを低く形成した下り傾斜としてある。そして、後述のように、キャップ２０を回転させることで、キャップ２０を徐々に下降、あるいは、上昇させるようになっている。
因みに、例えば、段部３６の端に一段高い突起部４０を形成することで、ロック用突起２４が溝部３１に達した際に、キャップ２０を垂直方向へより高く浮上させることができる。
そして、浮上用突起２５は、図３のように、ロック用突起２４が第１の凹部３５から下降して離脱する際に溝部３１に嵌まる位置に形成することで、下降の邪魔をしないようにしてある。
すなわち、キャップ２０を押し下げると浮上用突起２５も下降するが、その下降した浮上用突起２５が段部３６に当たって下降の邪魔をすると困る。そのため、ここでは、ロック用突起２４と浮上用突起２５は、９０度の角度を設けて形成してある。
【００２２】
Ｏリング２６は、ゴムや樹脂などの弾性体で形成したもので、浮上用突起２５とツマミ２２との間に図１（ａ）に示すように、取り付け溝３８を設けて取り付けるようになっている。そして、キャップ２０とケースから突出した隔壁２８と開口２１との間に介在することで、止水するようにしてある。
【００２３】
この形態は、上記のように構成されており、図４（ａ）〜図５（ｆ）に示すように、ツマミ２２を回動させることで、キャップ２０の固定（ロック）や取り外しができる構造である。
また、ツマミ２２をＬＯＣＫ（固定）の位置へ回すと、キャップ２０は無線機本体に嵌合し外れなくなり、ツマミ２２をＯＰＥＮ（取り外し）の位置へ回すと無線機本体から取り外せるものである。
このとき、キャップ２２を取り外し易くするように、ＯＰＥＮの位置へ回したと同時にキャップ２０が浮き上がるというものである。
すなわち、Ｏリング２６を取り付けたキャップ２０を図４（ａ）のように、開口２１に差し込み、キャップ２０を回動させながら、開口２１孔内の溝部３１にキャップ２０のロック用突起２４を合わせる。すると、図４（ｂ）のように、キャップ２０のロック用突起２４が溝部３１を通過し、係合部２７の下面の第１の係合部３２の傾斜部に沿って下降しつつ回動し、第１の凹部３５に嵌まる。このとき、浮上用突起２５は、段部３６の傾斜に沿って下降しつつ回動して邪魔することはない。
ここで、キャップ２０を離すと、隔壁２８と開口２１との間に介在するＯリング２６の弾性により、図４（ｃ）のように、ロック用突起２４が上昇して第１の凹部３５に嵌まり、キャップ２０の回動を止める。したがって、図６のように、防水状態が保持される。
【００２４】
一方、キャップ２０を取り外す際は、図５（ｄ）のように、キャップ２０を押し下げ、ロック用突起２４を第１の凹部３５から離脱させる。この押し下げ時に浮上用突起２５は、溝部３１に収容され押し下げを邪魔しない。また、押し下げたキャップ２０は、ロック時と逆方向へ回動すると、図５（ｅ）のように、浮上用突起２５が段部３６に沿って上昇しつつ回動し、キャップ２０を上昇させる。このとき、ロック用突起２４は、傾斜面３４（第１の係止部）の傾斜に沿って上昇しつつ回動する。そして、ＯＰＥＮの位置へ回したと同時に、図５（ｆ）のように、ロック用突起２４が溝部３１に達すると、浮上用突起２５は段部３６の端部に達して、キャップ２０を上昇させて浮き上がらせる。
すると、図７のように、Ｏリング２６の圧力を少し逃がすことができるため、Ｏリング２６の摩擦力からキャップ２０を解放して、容易に取り外すことができるのである。
【００２５】
このように、段部３６と浮上用突起２５を設けたことにより、キャップ２０を容易に取り外すことができる。
また、逆に、キャップ２０をロックした際には、キャップ２０が下がって動かなくなるので、誰でもロック位置がわかり、防水ミスを防止できる。
なお、段部３６と浮上用突起２５は、図３の位置に設けたが、これに限定されるものではなく、上述したように、ロック用突起２４が溝部３１に達した際に接するようにすればよい。したがって、その位置は適宜決められるものである。
その際、浮上用突起２５が第２の係合部３３に当たる場合は、第２の係合部３３に浮上用突起２５を収容する第２の凹部を設けるようにすればよい。
【実施例１】
【００２６】
この実施例１は、キャップ２０が図１のＯリング２６を用いない場合について述べる
Ｏリング２６を用いないキャップ２０の場合は、ロック用突起２４が溝部３１に達すると、段部３６に接した浮上用突起２５によってキャップ２０が浮上して知らせることができる。
そのため、キャップ２０を取り外す際には、キャップ２０のロック用突起２４が溝部３１に達したことが分かるため、キャップ２０を容易に取り外すことができるという効果がある。
【符号の説明】
【００２７】
２０  キャップ
２１  開口
２２  ツマミ
２３  キャップ本体
２４  ロック用突起
２５  浮上用突起
２６  Ｏリング
２７  係合部
３０  係止部
３１  溝部
３２  第１の係合部
３３  第２の係合部
３４  傾斜部
３５  第１の凹部
３６  段部
３７  傾斜面
【図１】
0005488484.tif 000002
【図２】
0005488484.tif 000003
【図３】
0005488484.tif 000004
【図４】
0005488484.tif 000005
【図５】
0005488484.tif 000006
【図６】
0005488484.tif 000007
【図７】
0005488484.tif 000008
【図８】
0005488484.tif 000009
【図９】
0005488484.tif 000010